【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
カプノグラフィ機能を有するモニタリングデバイスにおいて、非過換気的換気が患者に与えられていることと過換気的換気が前記患者に与えられていることとの間の判定を行うための換気モニタリングコントローラであって、前記換気モニタリングコントローラは、
患者のカプノグラフィ波形を分析するように動作可能なカプノグラフィモニタと、
呼吸モニタと、
を備え、
前記呼吸モニタは、前記カプノグラフィモニタによる前記カプノグラフィ波形の少なくとも前記分析から導出される前記患者の呼吸速度及び前記患者によって吐き出された呼気終末二酸化炭素のうちの少なくとも一方による指標に基づいて、非過換気的換気が前記患者に与えられていることを判定するように動作可能であり、
前記呼吸モニタは、前記カプノグラフィモニタによる前記カプノグラフィ波形の少なくとも前記分析から導出される前記患者の前記呼吸速度及び前記患者によって吐き出された前記呼気終末二酸化炭素の両方による集合的な指標に基づいて、過換気的換気が前記患者に与えられていることを判定するように動作可能であり、
前記呼吸モニタは、過換気的換気が前記患者に与えられていることの前記呼吸モニタによる判定に応答して、過換気アラートを生成するように動作可能であり、
前記換気モニタリングコントローラは、別のデバイスと接続されて、前記呼吸モニタからの前記過換気アラートを、前記別のデバイスに通信する、換気モニタリングコントローラ。
【請求項２】
前記カプノグラフィモニタによる前記カプノグラフィ波形の前記分析は、
前記カプノグラフィモニタが、前記患者によって吐き出された前記呼気終末二酸化炭素を計算するように動作可能であること、
を含み、
前記呼吸モニタによる、前記非過換気的換気が前記患者に与えられていることと前記過換気的換気が前記患者に与えられていることとの間の前記判定は、
前記呼吸モニタが、前記カプノグラフィモニタによって計算された前記呼気終末二酸化炭素を、前記非過換気的換気が前記患者に与えられていること及び前記過換気的換気が前記患者に与えられていることを線引きする呼気終末二酸化炭素閾値と比較してモニタするように動作可能であること、
を含む、請求項１に記載の換気モニタリングコントローラ。
【請求項３】
前記非過換気的換気が前記患者に与えられていることの前記呼吸モニタによる前記判定は、
前記呼吸モニタが、前記カプノグラフィモニタによって計算された前記呼気終末二酸化炭素が前記呼気終末二酸化炭素閾値よりも大きいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼気終末二酸化炭素が前記呼気終末二酸化炭素閾値よりも小さいことを検知するように動作可能であること、
を含む、請求項２に記載の換気モニタリングコントローラ。
【請求項４】
前記非過換気的換気が前記患者に与えられていることの前記呼吸モニタによる前記判定は、
前記呼吸モニタが、前記カプノグラフィモニタによって計算された前記呼気終末二酸化炭素が、規定の期間よりも短い持続期間の間、前記呼気終末二酸化炭素閾値よりも小さいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼気終末二酸化炭素が、前記規定の期間よりも長い持続期間の間、前記呼気終末二酸化炭素閾値よりも小さいことを検知するように動作可能であること、
を含む、請求項２に記載の換気モニタリングコントローラ。
【請求項５】
前記非過換気的換気が前記患者に与えられていることの前記呼吸モニタによる前記判定は、
前記呼吸モニタが、前記カプノグラフィモニタによって計算された前記呼気終末二酸化炭素が、呼吸サイクルの規定の回数よりも短い持続期間の間、前記呼気終末二酸化炭素閾値よりも小さいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼気終末二酸化炭素が、呼吸サイクルの前記規定の回数よりも長い持続期間の間、前記呼気終末二酸化炭素閾値よりも小さいことを検知するように動作可能であること、
を含む、請求項２に記載の換気モニタリングコントローラ。
【請求項６】
前記カプノグラフィモニタによる前記カプノグラフィ波形の前記分析は、
前記カプノグラフィモニタが、前記患者の前記呼吸速度を計算するように動作可能であること、
を含み、
前記呼吸モニタによる、前記非過換気的換気が前記患者に与えられていることと前記過換気的換気が前記患者に与えられていることとの間の前記判定は、
前記呼吸モニタが、前記カプノグラフィモニタによって計算された前記呼吸速度を、前記非過換気的換気が前記患者に与えられていること及び前記過換気的換気が前記患者に与えられていることを線引きする呼吸速度閾値と比較してモニタするように動作可能であること、
を含む、請求項１に記載の換気モニタリングコントローラ。
【請求項７】
前記非過換気的換気が前記患者に与えられていることの前記呼吸モニタによる前記判定は、
前記呼吸モニタが、前記カプノグラフィモニタによって計算された前記呼吸速度が前記呼吸速度閾値よりも小さいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼吸速度が前記呼吸速度閾値よりも大きいことを検知するように動作可能であること、
を含む、請求項６に記載の換気モニタリングコントローラ。
【請求項８】
前記非過換気的換気が前記患者に与えられていることの前記呼吸モニタによる前記判定は、
前記呼吸モニタが、前記カプノグラフィモニタによって計算された前記呼吸速度が、規定の期間よりも短い持続期間の間、前記呼吸速度閾値よりも大きいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼吸速度が、前記規定の期間よりも長い持続期間の間、前記呼吸速度閾値よりも大きいことを検知するように動作可能であること、
を含む、請求項６に記載の換気モニタリングコントローラ。
【請求項９】
前記非過換気的換気が前記患者に与えられていることの前記呼吸モニタによる前記判定は、
前記呼吸モニタが、前記カプノグラフィモニタによって計算された前記呼吸速度が、呼吸サイクルの規定の回数よりも短い持続期間の間、前記呼吸速度閾値よりも大きいことを検知するように動作可能であること、
を含み、
前記過換気的換気が前記患者に与えられていることの前記呼吸モニタによる前記判定は、
前記呼吸モニタが、前記カプノグラフィモニタによって計算された前記呼吸速度が、呼吸サイクルの前記規定の回数よりも長い持続期間の間、前記呼吸速度閾値よりも大きいことを検知するように動作可能であること、
を含む、請求項６に記載の換気モニタリングコントローラ。
【請求項１０】
前記カプノグラフィモニタによる前記カプノグラフィ波形の前記分析は、
前記カプノグラフィモニタが、前記患者によって吐き出された前記呼気終末二酸化炭素を計算し、前記患者の前記呼吸速度を計算するように動作可能であること、
を含み、
前記呼吸モニタによる、前記非過換気的換気が前記患者に与えられていることと前記過換気的換気が前記患者に与えられていることとの間の前記判定は、
前記呼吸モニタが、前記カプノグラフィモニタによって計算された前記呼気終末二酸化炭素を、前記非過換気的換気が前記患者に与えられていること及び前記過換気的換気が前記患者に与えられていることを線引きする呼気終末二酸化炭素閾値と比較してモニタするように動作可能であることと、
前記呼吸モニタが、前記カプノグラフィモニタによって計算された前記呼吸速度を、前記非過換気的換気が前記患者に与えられていること及び前記過換気的換気が前記患者に与えられていることを線引きする呼吸速度閾値と比較してモニタするように更に動作可能であることと、
を含む、請求項１に記載の換気モニタリングコントローラ。
【請求項１１】
前記非過換気的換気が前記患者に与えられていることの前記呼吸モニタによる前記判定は、
前記呼吸モニタが、
前記カプノグラフィモニタによって計算された前記呼気終末二酸化炭素が、前記呼気終末二酸化炭素閾値よりも大きいことと、
前記カプノグラフィモニタによって計算された前記呼吸速度が、前記呼吸速度閾値よりも小さいことと、
のうちの少なくとも一方の個別の発生を検知するように動作可能であること、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、前記呼気終末二酸化炭素閾値よりも小さいことと、
前記カプノグラフィモニタによって計算された前記呼吸速度が、前記呼吸速度閾値よりも大きいことと、
の同時的な発生を検知するように動作可能であること、
を含む、請求項１０に記載の換気モニタリングコントローラ。
【請求項１２】
前記非過換気的換気が前記患者に与えられていることの前記呼吸モニタによる前記判定は、
前記呼吸モニタが、
前記カプノグラフィモニタによって計算された前記呼気終末二酸化炭素が、規定の期間よりも短い持続期間の間、前記呼気終末二酸化炭素閾値よりも小さいことと、
前記カプノグラフィモニタによって計算された前記呼吸速度が、前記規定の期間よりも短い前記持続期間の間、前記呼吸速度閾値よりも大きいことと、
のうちの少なくとも一方の個別の発生を検知するように動作可能であること、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、前記規定の期間よりも長い持続期間の間、前記呼気終末二酸化炭素閾値よりも小さいことと、
前記カプノグラフィモニタによって計算された前記呼吸速度が、前記規定の期間よりも長い前記持続期間の間、前記呼吸速度閾値よりも大きいことと、
の同時的な発生を検知するように動作可能であること、
を含む、請求項１０に記載の換気モニタリングコントローラ。
【請求項１３】
前記非過換気的換気が前記患者に与えられていることの前記呼吸モニタによる前記判定は、
前記呼吸モニタが、
前記カプノグラフィモニタによって計算された前記呼気終末二酸化炭素が、呼吸サイクルの規定の回数よりも短い持続期間の間、前記呼気終末二酸化炭素閾値よりも小さいことと、
前記カプノグラフィモニタによって計算された前記呼吸速度が、呼吸サイクルの前記規定の回数よりも短い前記持続期間の間、前記呼吸速度閾値よりも大きいことと、
のうちの少なくとも一方の個別の発生を検知するように動作可能であること、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、呼吸サイクルの前記規定の回数よりも長い持続期間の間、前記呼気終末二酸化炭素閾値よりも小さいことと、
前記カプノグラフィモニタによって計算された前記呼吸速度が、呼吸サイクルの前記規定の回数よりも長い前記持続期間の間、前記呼吸速度閾値よりも大きいことと、
の同時的な発生を検知するように動作可能であること、
を含む、請求項１０に記載の換気モニタリングコントローラ。
【請求項１４】
前記過換気アラートは、視覚的メッセージ及び音声アラームのうちの少なくとも一方であり、
前記呼吸モニタは、前記非過換気的換気が前記患者に与えられていることの前記呼吸モニタによる後続の判定に応答して、前記過換気アラートを終了するように動作可能である、請求項１１に記載の換気モニタリングコントローラ。
【請求項１５】
前記モニタリングデバイスは、二酸化炭素モニタリングデバイス、心電図モニタリングデバイス、及び除細動モニタリングデバイスのうちの１つである、請求項１に記載の換気モニタリングコントローラ。
【請求項１６】
カプノグラフィモニタと呼吸モニタとを含む換気モニタリングコントローラを内蔵するモニタリングデバイスにおいて、非過換気的換気が患者に与えられていることと過換気的換気が前記患者に与えられていることとの間の判定を行うための換気モニタリング方法であって、前記換気モニタリング方法は、
前記カプノグラフィモニタが、前記患者のカプノグラフィ波形を分析するステップと、
前記呼吸モニタが、少なくとも前記カプノグラフィモニタによる前記カプノグラフィ波形の前記分析から導出される前記患者の呼吸速度及び前記患者によって吐き出された呼気終末二酸化炭素のうちの少なくとも一方による指標に基づいて、前記非過換気的換気が前記患者に与えられていることを判定するステップと、
前記呼吸モニタが、少なくとも前記カプノグラフィモニタによる前記カプノグラフィ波形の前記分析から導出される前記患者の前記呼吸速度及び前記患者によって吐き出された前記呼気終末二酸化炭素の両方による集合的な指標に基づいて、前記過換気的換気が前記患者に与えられていることを判定するステップと、
前記過換気的換気が前記患者に与えられていることを前記呼吸モニタが判定して、前記換気モニタリングコントローラが、過換気アラートを別のデバイスに通信するステップと、
を有する、換気モニタリング方法。
【請求項１７】
前記カプノグラフィモニタによる前記カプノグラフィ波形の前記分析は、
前記カプノグラフィモニタが、前記患者によって吐き出された前記呼気終末二酸化炭素を計算し、前記患者の前記呼吸速度を計算するステップ、
を含み、
前記呼吸モニタによる、前記非過換気的換気が前記患者に与えられていることと前記過換気的換気が前記患者に与えられていることとの間の前記判定は、
前記呼吸モニタが、前記カプノグラフィモニタによって計算された前記呼気終末二酸化炭素を、前記非過換気的換気が前記患者に与えられていること及び前記過換気的換気が前記患者に与えられていることを線引きする呼気終末二酸化炭素閾値と比較してモニタするステップと、
前記呼吸モニタが、前記カプノグラフィモニタによって計算された前記呼吸速度を、前記非過換気的換気が前記患者に与えられていること及び前記過換気的換気が前記患者に与えられていることを線引きする呼吸速度閾値と比較してモニタするステップと、
を含む、請求項１６に記載の換気モニタリング方法。
【請求項１８】
前記非過換気的換気が前記患者に与えられていることの前記呼吸モニタによる前記判定は、
前記呼吸モニタが、
前記カプノグラフィモニタによって計算された前記呼気終末二酸化炭素が、前記呼気終末二酸化炭素閾値よりも大きいことと、
前記カプノグラフィモニタによって計算された前記呼吸速度が、前記呼吸速度閾値よりも小さいことと、
のうちの少なくとも一方の個別の発生を検知するステップ、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、前記呼気終末二酸化炭素閾値よりも小さいことと、
前記カプノグラフィモニタによって計算された前記呼吸速度が、前記呼吸速度閾値よりも大きいことと、
の同時的な発生を検知するステップ、
を含む、請求項１７に記載の換気モニタリング方法。
【請求項１９】
前記非過換気的換気が前記患者に与えられていることの前記呼吸モニタによる前記判定は、
前記呼吸モニタが、
前記カプノグラフィモニタによって計算された前記呼気終末二酸化炭素が、規定の期間よりも短い持続期間の間、前記呼気終末二酸化炭素閾値よりも小さいことと、
前記カプノグラフィモニタによって計算された前記呼吸速度が、前記規定の期間よりも短い前記持続期間の間、前記呼吸速度閾値よりも大きいことと、
のうちの少なくとも一方の個別の発生を検知するステップ、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、前記規定の期間よりも長い持続期間の間、前記呼気終末二酸化炭素閾値よりも小さいことと、
前記カプノグラフィモニタによって計算された前記呼吸速度が、前記規定の期間よりも長い前記持続期間の間、前記呼吸速度閾値よりも大きいことと、
の同時的な発生を検知するステップ、
を含む、請求項１７に記載の換気モニタリング方法。
【請求項２０】
前記非過換気的換気が前記患者に与えられていることの前記呼吸モニタによる前記判定は、
前記呼吸モニタが、
前記カプノグラフィモニタによって計算された前記呼気終末二酸化炭素が、呼吸サイクルの規定の回数よりも短い持続期間の間、前記呼気終末二酸化炭素閾値よりも小さいことと、
前記カプノグラフィモニタによって計算された前記呼吸速度が、呼吸サイクルの前記規定の回数よりも短い前記持続期間の間、前記呼吸速度閾値よりも大きいことと、
のうちの少なくとも一方の個別の発生を検知するステップ、
を含み、
前記過換気的換気が前記患者に与えられていることの前記呼吸モニタによる前記判定は、
前記呼吸モニタが、
前記カプノグラフィモニタによって計算された前記呼気終末二酸化炭素が、呼吸サイクルの前記規定の回数よりも長い持続期間の間、前記呼気終末二酸化炭素閾値よりも小さいことと、
前記カプノグラフィモニタによって計算された前記呼吸速度が、呼吸サイクルの前記規定の回数よりも長い前記持続期間の間、前記呼吸速度閾値よりも大きいことと、
の同時的な発生を検知するステップ、
を含む、請求項１７に記載の換気モニタリング方法。